(57)【要約】【課題】１，４−ジオキサンを効果的に除去することができ、実用化も容易な方法を実現する。【解決手段】１，４−ジオキサンを含む廃水の処理に用いられる活性汚泥の馴養方法である。１，４−ジオキサン以外の有機物を除いた水環境下で、活性汚泥を温めて一定期間保持し、活性汚泥の１，４−ジオキサンに対する分解活性を高める。その後、活性汚泥の温度を、活性汚泥の使用温度まで低下させる。【選択図】    図２
2014188506.tif 000002
【特許請求の範囲】
【請求項１】
１，４−ジオキサンを含む廃水の処理に用いられる活性汚泥の馴養方法であって、
１，４−ジオキサン以外の有機物を除いた水環境下で、活性汚泥を温めて一定期間保持し、当該活性汚泥の１，４−ジオキサンに対する分解活性を高める第１馴化工程と、
前記第１馴化工程の後、前記活性汚泥の温度を、当該活性汚泥の使用温度まで低下させる第２馴化工程と、
を含む活性汚泥の馴養方法。
【請求項２】
請求項１に記載の活性汚泥の馴養方法であって、
前記第１馴化工程において、前記活性汚泥は２５℃以上の温度で保持される活性汚泥の馴養方法。
【請求項３】
請求項２に記載の活性汚泥の馴養方法であって、
前記第１馴化工程において、前記活性汚泥を温めて保持する期間は１日〜５日の範囲内である活性汚泥の馴養方法。
【請求項４】
請求項１〜請求項３のいずれか１つに記載の活性汚泥の馴養方法であって、
前記第２馴化工程における前記活性汚泥の温度の低下が、異なる温度で一定期間保持する複数のステップにより、段階的に行われる活性汚泥の馴養方法。
【請求項５】
請求項１〜請求項４のいずれか１つに記載の活性汚泥の馴養方法であって、
前記第１馴化工程において、前記水環境における１，４−ジオキサンの濃度は１００〜２０００ｍｇ／Ｌである活性汚泥の馴養方法。
【請求項６】
１，４−ジオキサンを含む廃水を処理する廃水処理方法であって、
前記廃水に含まれる１，４−ジオキサン以外の有機物を除去する前処理工程と、
前記前処理工程で処理された前記廃水を、請求項１〜請求項５のいずれか１つの馴養方法によって馴養された活性汚泥と接触させる本処理工程と、
を含む廃水処理方法。
【請求項７】
請求項６に記載の廃水処理方法であって、
前記本処理工程の後に、微生物を用いない物理化学的処理によって１，４−ジオキサンを除去する後処理工程を更に含む廃水処理方法。
【請求項８】
１，４−ジオキサンを含む廃水を処理する廃水処理システムであって、
前記廃水に含まれる１，４−ジオキサン以外の有機物を除去する第１処理槽と、
前記第１処理槽で処理された前記廃水を、請求項１〜請求項５のいずれか１つの馴養方法によって馴養された活性汚泥と接触させる第２処理槽と、
を備えた廃水処理システム。
【請求項９】
請求項８に記載の廃水処理システムであって、
前記第２処理槽の下流側に、微生物を用いない物理化学的処理によって１，４−ジオキサンを除去する後処理装置が設置されている廃水処理システム。
【発明の詳細な説明】
【技術分野】
【０００１】
本発明は、１，４−ジオキサンを含む廃水の処理に用いられる活性汚泥の馴養方法等に関する。
【背景技術】
【０００２】
溶剤等に広く利用されている１，４−ジオキサンは、難分解性で、水とよく混和する。そのため、廃水に１，４−ジオキサンが含まれる場合、これを除去するのは非常に難しく、これまでのところ、廃水から１，４−ジオキサンを効果的に除去できる方法は確立できていない。
【０００３】
活性炭吸着法や凝集沈澱法、生物処理法、オゾン酸化法、促進酸化法、フェントン酸化法等、様々な方法が検討されてはいるが（例えば、特許文献１参照）、いずれも一長一短があり、決め手を欠く。例えば、活性炭吸着法や凝集沈澱法、生物処理法は、比較的コストの面では有利であるものの、１，４−ジオキサンの高レベルな除去効果は得られていない。一方、オゾン酸化法、促進酸化法、フェントン酸化法は、前者に比べて高い除去効果が得られるものの、１,４−ジオキサンが高濃度の場合、設備コストやランニングコストが高くつき、コストの面で不利がある。
【０００４】
そのような中で、生物処理法を工夫することにより、１，４−ジオキサンの除去効果を高めることができる方法が提案されている（特許文献２）。そこでは、単離した１，４−ジオキサン分解菌を用いて廃水処理が行われており、培養や馴養の条件を特定することによって１，４−ジオキサンの除去効果を高めている。具体的には、次のような内容が特許文献２に記載されている。
【０００５】
１，４−ジオキサンを含む無機培地に活性汚泥を添加し、２０〜３０℃で約１〜３ヶ月集積培養した後、そこから１，４−ジオキサン分解菌を単離する。単離した１，４−ジオキサン分解菌は、その至適温度は約２７℃であることから、約１５〜３５℃で約５〜３０日培養する。
【０００６】
１，４−ジオキサン分解菌は、菌数が少ないうちに過剰に１，４−ジオキサンが与えられると増殖し難く、また、１，４−ジオキサンが全く与えられないと１，４−ジオキサンの分解活性が低下する。そのため、培養初期には、ペプトン等、１，４−ジオキサン以外の有機物を主成分とする培地で培養し、１，４−ジオキサン分解菌の菌数が１ｍｌ当たり１０4以上となったときに１，４−ジオキサンを所定量添加する。
【０００７】
こうして得られた１，４−ジオキサン分解菌は、担体に固定するなどして処理槽に投入され、廃水の処理に用いられる。廃水処理の開始時には、１，４−ジオキサンの分解活性を高めるために、処理槽においても先の培養と同様の条件の下で馴養運転が行われる。
【０００８】
ここでいう「馴養」とは、環境が大きく変わって活性汚泥の分解活性が低下するような場合に、活性汚泥を新たな環境に馴れさせる処理をいう。例えば、微生物に有毒な化学薬品を含む廃水であっても、日数をかけて活性汚泥をその廃水に馴れさせると、活性汚泥の分解活性が損なわれずに処理できる場合がある。そのような場合に、活性汚泥の分解活性を維持、向上させるために馴養が行われる。
【０００９】
通常、馴養は対象物質の濃度を変えることによって行われる。１，４−ジオキサンの場合、その濃度を変えて馴養しても効果的な分解活性は得られないことが確認されている。
【先行技術文献】
【特許文献】
【００１０】
【特許文献１】特開２００５−５８８５４号公報
【特許文献２】特開２００８−３０６９３９号公報
【発明の概要】
【発明が解決しようとする課題】
【００１１】
特許文献２の方法は、生物処理がベースになっているため、既存の設備が利用できるし、コスト的にも有利である。従って、この方法が実用化できれば、特に処理量の大きい廃水処理において効果が期待できる。
【００１２】
しかし、この方法は、１，４−ジオキサン分解菌を単離し、単離した１，４−ジオキサン分解菌を特定の条件の下で培養しなければならないため、専門的な知識や技術が必要なうえ、作業に時間や手間がかかる。
【００１３】
また、培養された１，４−ジオキサン分解菌は、担体に固定するなど、処理槽内に１，４−ジオキサン分解菌を止める工夫が必要である。更に、馴養運転は培養とでは規模が大きく異なるため、培養と同様の条件で馴養運転を行うことは容易でない。特に、廃水処理時の馴養運転や定常運転で水温を高く保持することは、その間、絶えず熱を供給して温度管理することが必要になるため、設備コストやランニングコストの面でも不利がある。
【００１４】
すなわち、特許文献２の方法は、直ぐに実用化するのは難しく、実用化までには多くの課題がある。
【００１５】
そこで、本発明の目的は、簡単かつ低コストで１，４−ジオキサンを効果的に除去することができ、実用化も容易な方法を実現することにある。
【課題を解決するための手段】
【００１６】
本発明者らは、１，４−ジオキサン（以下、単にジオキサンともいう）を生物処理によって効果的に除去すべく、鋭意研究を行っている。その研究の過程で、本発明者らは、有機物を制限した状態で活性汚泥を温めて馴養し、ジオキサンの分解活性をいったん高めた後、活性汚泥の温度を下げることで、ジオキサンの分解活性を低下させずに維持できることを見出した。本発明は、かかる知見に基づくものである。
【００１７】
すなわち、第１の発明は、ジオキサンを含む廃水の処理に用いられる活性汚泥の馴養方法の発明である。本発明は、ジオキサン以外の有機物を除いた水環境下で、活性汚泥を温めて一定期間保持し、当該活性汚泥のジオキサンに対する分解活性を高める第１馴化工程と、前記第１馴化工程の後、前記活性汚泥の温度を当該活性汚泥の使用温度まで低下させる第２馴化工程を含む。
【００１８】
ここで、活性汚泥とは、細菌や原生動物などの微生物が集まった塊のようなものであり、生物処理では常用されているので、ジオキサン分解微生物を含んだ活性汚泥を添加し、前述の馴養方法を用いれば、より経済的なジオキサンを含む排水の処理が可能となる。
【００１９】
ジオキサン以外の有機物を除いた水環境とは、例えば、浄水にジオキサンのみを添加するような、ジオキサン以外の有機物が高精度に除去されている水環境だけでなく、有機物とジオキサンを含む廃水を処理して、そこから有機物だけを除去するような、ほとんどの有機物は除去されるが、結果として微量の有機物が含まれる水環境も含む。
【００２０】
水環境下にジオキサン以外の有機物があると、その有機物がジオキサン分解微生物の栄養源に用いられ、ジオキサン分解微生物はジオキサンを分解する必要がなくなる。従って、活性汚泥のジオキサンに対する分解活性を高めるためには、ジオキサン以外の有機物はできるだけ取り除くのが好ましい。
【００２１】
活性汚泥を温めるとは、例えば、活性汚泥やその周囲の水を加熱して活性汚泥の温度を高めることをいう。活性汚泥を温めるのは、ジオキサン分解微生物が活動、増殖し易い温度にするためであり、ジオキサン分解微生物の活動、増殖を妨げる温度まで温めることは意図しない。
【００２２】
活性汚泥のジオキサンに対する分解活性を高めるとは、ジオキサン分解菌の増殖と、ジオキサン分解菌がジオキサンを素早く処理することの両方を意味する。
【００２３】
温度を低下させるとは、例えば、連続的に温度を低下させる場合や段階的に温度を低下させる場合をいう。活性汚泥の使用温度は、ジオキサンを含む廃水の処理に用いられる温度をいい、１５℃〜３５℃がよく、特に２０℃前後が好ましい。
【００２４】
上述したような第１、第２の馴化工程を含む工程で活性汚泥の馴養を行えば、生物処理による一般的な廃水の処理温度においても、ジオキサンの高い分解活性を発揮する活性汚泥を得ることができる。従って、既存の活性汚泥と置き換えるだけで、直ぐに実用化も可能である。廃水の温度を高めずに高いジオキサンの分解能力が得られるので、長時間の熱供給や温度管理は不要であり、設備コストやランニングコストの大幅な増加を招くこともない。
【００２５】
具体的には、前記第１馴化工程では、前記活性汚泥を２５℃以上の温度で保持するのが好ましい。また、その際、前記活性汚泥を温めて保持する期間は１日〜１５日の範囲内で行うことができる。
【００２６】
詳細は後述するが、活性汚泥を２５℃以上の温度で保持すれば、１〜１５日程度でジオキサンの濃度を５００ｍｇ／Ｌからほぼ０ｍｇ／Ｌ程度まで減少させる高い分解活性を得ることができるからである。
【００２７】
また、前記第２馴化工程における前記活性汚泥の温度の低下は、異なる温度で一定期間保持する複数のステップにより、段階的に行うとよい。
【００２８】
そうすれば、連続的に温度を低下させるのに比べて温度管理が容易にでき、安定した馴養ができる。
【００２９】
廃水中に含まれるジオキサンの濃度は、ジオキサン分解菌のエサとして必要なので、１００ｍｇ／Ｌ以上が望ましい。また、生物槽で曝気を行うので、ジオキサンの揮発を考えると２０００ｍｇ／Ｌ以下が望ましい。
【００３０】
第２の発明は、上述した馴養方法で馴養した活性汚泥を用いた廃水処理方法の発明である。
【００３１】
具体的には、本発明は、ジオキサンを含む廃水を処理する廃水処理方法であって、前記廃水に含まれるジオキサン以外の有機物を除去する前処理工程と、前記前処理工程で処理された前記廃水を、上述した馴養方法によって馴養された活性汚泥と接触させる本処理工程を含む。
【００３２】
前処理工程で処理するジオキサンを含む廃水には、ジオキサン以外の有機物が含まれていてもよい。ジオキサン以外の有機物は、前処理工程で除去される。前処理工程の処理方法は、有機物を除去できるものであればよく、通常の生物処理や凝集処理等、または複数の処理の組み合わせを用いることができる。
【００３３】
上述した馴養方法によって馴養された活性汚泥は、ジオキサン分解微生物が栄養源としてジオキサンしか利用できない環境下に置くことで、ジオキサンの高い分解活性を維持することができる。いったんジオキサン分解微生物がジオキサン以外の有機物を栄養源として利用できる環境下に活性汚泥を置いてしまうと、ジオキサンに対する分解活性は低下し、再度馴養しなければ、分解活性は回復しない。従って、前処理工程で処理された廃水には、ジオキサン以外にも微量の有機物が含まれていてもよいが、ジオキサン以外の有機物はできるだけ除去するのが好ましい。
【００３４】
活性汚泥は、廃水の温度でジオキサンの高い分解活性が得られるように馴養されている。従って、水温が大きく低下しない限り、温度管理する必要はない。
【００３５】
本処理工程では、前処理工程でジオキサン以外の有機物を除いた廃水を、上述した馴養方法によって馴養された活性汚泥と接触させる。そうすることで、廃水に含まれるジオキサンは、活性汚泥に含まれるジオキサン分解微生物によって分解され、効果的に除去することができる。なお、本処理工程の処理は複数回行ってもよい。
【００３６】
前記本処理工程の後に、微生物を用いない物理化学的処理によってジオキサンを除去する後処理工程を含むようにすると、更に低濃度までジオキサンを分解できる。
【００３７】
微生物を用いない物理化学的処理とは、例えば、オゾン処理や活性炭吸着法など、物理的作用や化学的作用によってジオキサンを除去する処理をいう。このように、生物処理と除去作用の異なる処理を組み合わせる。
【００３８】
第３の発明は、上述した廃水処理方法を実現する廃水処理システムの発明である。
【００３９】
具体的には、本廃水処理システムは、前記廃水に含まれる１，４−ジオキサン以外の有機物を除去する第１処理槽と、前記第１処理槽で処理された前記廃水を、上述した馴養方法によって馴養された活性汚泥と接触させる第２処理槽とを備える。前記第２処理槽の下流側には、微生物を用いない物理化学的処理によって１，４−ジオキサンを除去する後処理装置を設置するのが好ましい。
【００４０】
第１処理槽や第２処理槽の個数は１つに限らない。いずれも複数の槽で構成されていてもよい。
【発明の効果】
【００４１】
本発明の活性汚泥の馴養方法等によれば、簡単かつ低コストでジオキサンを効果的に除去できるようになり、廃水処理等に容易に実用化できる。
【図面の簡単な説明】
【００４２】
【図１】水処理試験に用いた処理装置の概略図である。
【図２】水処理試験（第１、２試験）の結果を示すグラフである。
【図３】（ａ），（ｂ）は、水処理試験（第３試験）に用いた処理装置の概略図である。
【図４】水処理試験（第３試験）の結果を示すグラフである。
【図５】第１実施形態の廃水処理システムを示す概略図である。
【図６】第２実施形態の廃水処理システムを示す概略図である。
【発明を実施するための形態】
【００４３】
以下、本発明の実施形態を図面に基づいて詳細に説明する。ただし、以下の説明は、本質的に例示に過ぎず、本発明、その適用物あるいはその用途を制限するものではない。
【００４４】
上述したように、本発明は、本発明者らが行っている研究過程で得られた知見に基づくものである。最初にその内容について説明し、その上で本発明を適用した具体的な実施形態について説明する。
【００４５】
（馴養時の温度の影響について）
温度を変えて、活性汚泥にジオキサンのみを含む水の水処理試験を行い、馴養時の温度の影響について調べた。図１に、その水処理試験（第１試験）に用いた処理装置１ａの概略を示す。
【００４６】
処理装置１ａは、貯留槽２、処理槽３、ポンプ４ａ，４ｂ、パイプ５、温度計６、曝気装置８，ろ過膜９などで構成した。貯留槽２に、浄水とジオキサンを添加した。通水溶液の処理槽３に対する流量は、ＨＲＴが４（日）となるように設定した。通水溶液のジオキサンの濃度は約５００ｍｇ／Ｌになるように調整した。
【００４７】
処理槽３には、一般的な活性汚泥ＡＳを十分量収容した。活性汚泥ＡＳの温度は、処理槽３に設けられた温度計６で確認しながら、溶液の温度によって調整した。温度以外の条件は同じになるように設定し、温度を変えたそれぞれの条件において処理を行った。定期的にろ過膜９からサンプリングし、ジオキサン濃度（ｍｇ／Ｌ）を測定した。
【００４８】
図２に、ジオキサン濃度と温度との関係についてまとめた結果を示す。同図は、温度を２０、２５、３０℃に保持したまま通水を行う条件で行った。各条件とも温度以外の条件は同じである。
【００４９】
同図に示すように、２０℃では、ジオキサンの濃度は２００ｍｇ／Ｌ以下にならないことがわかる。それに対し、２５℃、３０℃では、日数の経過とともにジオキサンの濃度の低下が認められた。
【００５０】
この結果から、活性汚泥ＡＳをジオキサン以外の有機物を除いた水環境下に置き、２５℃以上に温めて保持すれば、活性汚泥ＡＳのジオキサンに対する分解活性を効果的に高められることがわかる。特に、２５℃よりも高い温度では、濃度の低下率がほとんど変わらないことから、２５℃の方が好ましいこともわかる。
【００５１】
（馴養後の温度低下の影響について）
２５℃で行った第１の温度試験の後（通水開始から３０日後）に、徐々に２０℃まで低下させた場合に、ジオキサンの分解活性がどのように変化するか、水処理試験を行った（第２試験、図２に結果を記載）。
【００５２】
温度を２０℃に低下させた直後は、ジオキサン濃度の僅かな上昇が認められたが、直ぐに通水初期で到達した濃度レベルに回復した。
【００５３】
この結果から、活性汚泥ＡＳを温めて馴養し、ジオキサンの分解活性をいったん高めてしまえば、その後に活性汚泥ＡＳの温度を下げてもジオキサンの分解活性を高いまま維持できることがわかる。
【００５４】
（他の有機物の分解活性に対する影響について）
ジオキサン以外の有機物を含む廃水を処理する水処理試験を行った（第３試験）。図３の（ａ），（ｂ）に、試験に用いた２つの処理装置１ｂ、１ｃの要部を示す。図示しないが、いずれの上流側にも、先の通水装置１と同様に、通水溶液を貯留する貯留槽２やポンプ４等が接続されている。便宜上、先の処理装置１ａと同じ構成の部材には同じ符号を用いる。
【００５５】
同図の（ａ）の処理装置１ｂでは、同容量の処理槽３ａ、３ａ’を２つ直列に接続した（２段処理）。同図の（ｂ）の処理装置１ｃでは、（ａ）の処理槽３ａ、３ａ’より大容量の処理槽３ｂを１つ接続した（１段処理）。（ａ）の各処理槽３ａ、３ａ’には、それぞれ、同量の活性汚泥ＡＳを収容した。（ｂ）の処理槽３ｂには、（ａ）の各処理槽３ａ、３ａ’に収容した倍量の活性汚泥ＡＳを収容した。
【００５６】
そして、（ａ）の処理装置１ｂでは、通水溶液の各処理槽３ａ、３ａ’に対する流量は、ＨＲＴが２（日）となるように設定した。また、（ｂ）の処理装置１ｃでは、通水溶液の処理槽３ｂに対する流量は、ＨＲＴが４（日）となるように設定した。活性汚泥ＡＳには、２５℃で馴養し、ジオキサンの分解活性を高めたものを使用した。
【００５７】
通水溶液には、浄水に、ジオキサンと、他の有機物としてのグルコースとを添加したものを使用した。ジオキサンの濃度は約５００ｍｇ／Ｌに、グルコースの濃度は１０００ｍｇ／Ｌになるように調整した。
【００５８】
そうして、温度を２５℃に保持した状態で、通水を行い、各処理槽３ａ、３ａ’、３ｂの下流側で通水溶液をサンプリングし、そのジオキサン濃度の経時変化を測定した。
【００５９】
図４に、その試験結果を示す。１段処理（処理槽３ｂ）と、２段処理の前段（処理槽３ａ）とでは、ほとんどジオキサンの濃度に経時的な変化は認められず、ジオキサンが１２０ｍｇ／Ｌ程度、ＢＯＤが１０ｍｇ／Ｌ以下で安定していた。対して、２段処理の後段（処理槽３ａ’）では、ジオキサンの濃度は１０ｍｇ／Ｌ以下となった。
【００６０】
１段処理と、２段処理の前段とでは、グルコースが含まれているため、ジオキサン分解微生物がグルコースを優先的に栄養源として利用した結果、ジオキサンの分解活性が低下したものと考えられる。一方、２段処理の後段は、その前段でグルコースが消費されているために、流入する通水溶液中の栄養源が制限された結果、ジオキサンが利用され、その分解活性が維持されたものと考えられる。
【００６１】
他の有機物の濃度の上限としては、例えば、ＢＯＤで３００ｍｇ／Ｌ以下が好ましい。
【００６２】
この結果から、馴養した活性汚泥ＡＳのジオキサンの分解活性を維持するためには、処理する廃水からジオキサン以外の有機物は除去し、できるだけ少なくするのが好ましいことがわかる。
【００６３】
以上の試験結果に基づけば、活性汚泥ＡＳを所定の条件の下で馴養することで、従来、低い分解活性しか得られなかった使用温度でも、２５℃等と同等の高い分解活性を発揮する活性汚泥ＡＳを得ることができる。
【００６４】
馴養の方法は、具体的には、ジオキサン以外の有機物を除いた水環境下で、活性汚泥ＡＳを２５℃等に温めて一定期間（例えば１〜１５日）保持し、活性汚泥ＡＳのジオキサンに対する分解活性を高める。その後、活性汚泥ＡＳの温度を（例えば２０℃）に下げる。
【００６５】
（第１実施形態）
図５に、本発明を適用した廃水処理システム１０の一例を示す。この廃水処理システム１０は、第１処理槽１１、第２処理槽１２、パイプライン１３、ポンプ１４ａ，１４ｂ、曝気装置１８、ろ過膜１９などで構成されている。第１処理槽１１と第２処理槽１２は、いずれも活性汚泥ＡＳ，ＤＳを用いて生物処理を行う処理槽であり、パイプライン１３で直列に接続されている。廃水処理システム１０は、新たに設置してもよいが、既存のシステムをそのまま利用してもよい。
【００６６】
廃水の水温は、一般的な２０℃程度であれば、特に温度制御する必要はない。ただし、１０℃以下になると分解活性が低下するおそれがあるため、その場合は、廃水を加熱して温めるのが好ましい。
【００６７】
第１処理槽１１は、流入する廃水に含まれるジオキサン以外の有機物を除去する（前処理工程）。例えば、処理後の廃水のＢＯＤが３００ｍｇ／Ｌ以下になるようにする。
【００６８】
第２処理槽１２は、ジオキサンを除去する（本処理工程）。すなわち、第２処理槽１２に収容される活性汚泥ＤＳは従来の活性汚泥ＡＳとは異なり、上述した方法により馴養した活性汚泥（ジオキサン分解汚泥ＤＳともいう）を収容する。
【００６９】
第２処理槽１２の馴養は廃水処理でも可能である。第１処理槽１１で廃水中の有機物はほとんど除去されるので、廃水にジオキサンが含まれていればそのまま処理が可能で、含まれていなければ適量添加して処理すればよい。そして、第２処理槽１２に熱を供給し、第２処理槽１２内の水環境を温めて、例えば、２５℃で１〜１５日保持する。その後、熱の供給を停止し、普段の廃水処理の温度に戻すだけで第２処理槽１２内の活性汚泥ＡＳを馴養し、ジオキサン分解汚泥ＤＳに変えることができる。
【００７０】
この廃水処理システム１０によれば、第１処理槽１１でジオキサン以外の有機物はほとんど除去され、第２処理槽１２では更にジオキサンをほとんど除去できる（１０ｍｇ／Ｌ以下）。しかも、廃水処理システム１０の確立に際しては、既存の設備が活用でき、複雑な処理も不要である。設備コストやランニングコストもほとんどかからないため、コスト的にも有利である。
【００７１】
（第２実施形態）
図６に、本発明を適用した廃水処理システム１０’の一例を示す。この廃水処理システム１０’は、第１実施形態の廃水処理システム１０に、更に後処理工程が付加されている。この廃水処理システム１０’は、より高度なジオキサンの除去性能が求められる場合などに有効である。
【００７２】
具体的には、第２処理槽１２の下流側に、物理化学的処理によってジオキサンを除去する処理装置２１が設置されている。本実施形態では、その一例としてオゾン処理装置２１が設置されている。オゾン処理装置２１には、オゾン生成装置２１ａやオゾン接触装置２１ｂなどで構成された既存の装置が利用できる。
【００７３】
オゾン生成装置２１ａは、オゾンを生成し、オゾン接触装置２１ｂに一定流量でオゾンを供給する。オゾン接触装置２１ｂは、パイプライン１３の途中に接続され、オゾン接触装置２１ｂに流入する廃水とオゾンとを混合し、接触させる。廃水がオゾンと接触することで、廃水中に含まれるジオキサンは、オゾンによって分解され、除去される。
【００７４】
オゾン接触装置２１ｂに流入する廃水中には、有機物はほとんど含まれず、また、ジオキサンも第２処理槽１２でそのほとんどが除去されているので、オゾンを効果的に残存するジオキサンに作用させることができる。従って、この廃水処理システム１０’によれば、ジオキサンを高度に除去することができる。
【００７５】
また、オゾン処理装置２１で分解するジオキサン量が少なくて済むため、オゾン処理装置２１の設置コストやランニングコストも抑制できる点でも有利である。特に、ジオキサンの分解作用が第２処理槽１２と処理装置２１とで異なるため、より安定して低濃度にジオキサンを除去することができる。
【符号の説明】
【００７６】
１０、１０’  廃水処理システム
１１  第１処理槽
１２  第２処理槽
１３  パイプライン
１４ａ，１４ｂ  ポンプ
１８  曝気装置
１９  ろ過膜
２１  処理装置（オゾン処理装置）
ＡＳ、ＤＳ  活性汚泥
【図１】
2014188506.tif 000003
【図２】
2014188506.tif 000004
【図３】
2014188506.tif 000005
【図４】
2014188506.tif 000006
【図５】
2014188506.tif 000007
【図６】
2014188506.tif 000008